(57)【要約】【課題】フロアやフロアマットの清掃時には、相対的に係止孔がマット係止突起から抜けやすい状態にして、フロアマットを容易に外せるようにする。【解決手段】フロアマット６とカーペット２との間へ介在されるプレート１１と、プレートの上面から膨出されて、フロアマットの係止孔７を貫通して該係止孔の周縁８へ係合するマット係止突起１３と、プレートの下面から膨出されて、カーペットの係止孔３を貫通して該係止孔の周縁４へ係合するカーペット係止突起１２とを備えるフロアマットクリップにおいて、マット係止突起１３に弾性Ｏリング３７を設け、弾性Ｏリングを押し付けて膨径させた状態と、弾性Ｏリングを押し付けない状態とに変化させられるように構成した。【選択図】  図１
2011105146.tif 000002
【特許請求の範囲】
【請求項１】
フロアマットとカーペットとの間へ介在されるプレートと、プレートの上面から膨出されて、フロアマットの係止孔を貫通して該係止孔の周縁へ係合するマット係止突起と、プレートの下面から膨出されて、カーペットの係止孔を貫通して該係止孔の周縁へ係合するカーペット係止突起とを備えるフロアマットクリップにおいて、マット係止突起に弾性Ｏリングを設け、弾性Ｏリングを押し付けて膨径させた状態と、弾性Ｏリングを押し付けない状態とに変化させられるように構成したことを特徴とするフロアマットクリップ。
【発明の詳細な説明】
【技術分野】
【０００１】
本発明は、自動車用のフロアマットをカーペットへ係止するためのフロアマットクリップに関するものである。
【背景技術】
【０００２】
従来のフロアマットクリップは、フロアマットとカーペットとの間へ介在されるプレートと、上端部分が座席側へ折り曲げられた形状に、プレートの上面から膨出されて、フロアマットの係止孔の周縁へ係合するマット係止突起と、プレートの下面から膨出されて、カーペットに形成された係止孔の周縁へ係合するカーペット係止突起とからなり、合成樹脂で一体成形されていた（特許文献１、特許文献２）。
【０００３】
マット係止突起はプレートの上面から垂直に突設された円柱状の首部と、当該首部の上端から座席側へ傾斜した爪状の頭部からなる。頭部を座席側へ傾斜させることにより、マット係止突起は、その上端部分が座席側へ折り曲げられた形状となる。フロアマットには、乗客の足で図の矢印方向へ荷重が掛けられるので、当該マット係止突起は係止孔の周縁へフック止め的に係合することとなる。そして、頭部の傾斜方向が座席方向以外であると、既述の荷重方向の関係から、フロアマットが係止突起より外れ易くなるので好ましくないとされている。
【先行技術文献】
【特許文献】
【０００４】
【特許文献１】実公平６−２４２７８号公報
【特許文献２】意匠登録第８０１９０６号公報
【発明の概要】
【発明が解決しようとする課題】
【０００５】
上記のとおり、従来のフロアマットクリップは、上記形状のマット係止突起がフロアマットの係止孔の周縁へフック止め的に係合していたので、フロアマット使用時に係止孔がマット係止突起から抜けてフロアマットが外れるようなことはなかった。
【０００６】
しかしその反面、フロアやフロアマットの清掃等のために、係止孔をマット係止突起から抜いてフロアマットを外そうとすると、外しにくいという問題があった。
【課題を解決するための手段】
【０００７】
本発明のフロアマットクリップは、フロアマットとカーペットとの間へ介在されるプレートと、プレートの上面から膨出されて、フロアマットの係止孔を貫通して該係止孔の周縁へ係合するマット係止突起と、プレートの下面から膨出されて、カーペットの係止孔を貫通して該係止孔の周縁へ係合するカーペット係止突起とを備えるフロアマットクリップにおいて、マット係止突起に弾性Ｏリングを設け、弾性Ｏリングを押し付けて膨径させた状態と、弾性Ｏリングを押し付けない状態とに変化させられるように構成したことを特徴とする。
【０００８】
ここで、                              係止部材を第１の姿勢に係止する係止構造を設けることが好ましい。さらに、係止部材を第２の姿勢に係止する係止構造を設けることが好ましい。
【発明の効果】
【０００９】
本発明によれば、フロアマット使用時には、相対的に係止孔がマット係止突起から抜けにくい状態にして、フロアマットが外れることを防止し、また、フロアやフロアマットの清掃時には、相対的に係止孔がマット係止突起から抜けやすい状態にして、フロアマットを容易に外すことができるという優れた効果を奏する。
【図面の簡単な説明】
【００１０】
【図１】実施例の斜視図である。
【図２】実施例の（ａ）正面図、（ｂ）平面図、（ｃ）底面図、（ｄ）左側面図、（ｅ）右側面図である。背面図は正面図と対称に表れる。
【図３】実施例の使用状態を示す断面図である。
【発明を実施するための形態】
【００１１】
フロアマットとカーペットとの間へ介在されるプレートと、プレートの上面から膨出されて、フロアマットの係止孔を貫通して該係止孔の周縁へ係合するマット係止突起と、プレートの下面から膨出されて、カーペットの係止孔を貫通して該係止孔の周縁へ係合するカーペット係止突起とを備えるフロアマットクリップにおいて、マット係止突起に弾性Ｏリングを設け、弾性Ｏリングを押し付けて膨径させた状態と、弾性Ｏリングを押し付けない状態とに変化させられるように構成したことを特徴とするフロアマットクリップである。
【実施例】
【００１２】
実施例１のフロアマットクリップを説明する前に、自動車のフロアとフロアマットについて説明しておく。図３において、左側が前方向（運転席であればペダルがある側）、右側が後方向（座席側）示している。自動車用のフロアパネル１の上にはカーペット２が前後左右に動かないように敷かれている。カーペット２には係止孔３が形成され、図示例の係止孔３における周縁４は、ハトメ状（フランジ付金属筒）の補強部材５で補強されている。カーペット２の上に載せられるフロアマット６には係止孔７が形成され、図示例の係止孔７における周縁８は、ハトメ状（フランジ付金属筒）の補強部材９で補強されている。なお、周縁４，８の補強部材の材質及び固定の態様は特に限定されない。例えば、樹脂製の筒状部材を補強部材とし、これをカーペットやフロアマットへ接着することでもよいし、カーペットやフロアマットへ樹脂を含浸させて補強部材とすることでもよい。
【００１３】
さて、実施例のフロアマットクリップは、図１〜図３に示すように、フロアマット６とカーペット２との間へ介在されるプレート１１と、プレート１１の下面から膨出されて、カーペット２の係止孔３を貫通して該係止孔３の周縁４へ係合するカーペット係止突起１２と、プレート１１の上面から膨出されて、フロアマット６の係止孔７を貫通して該係止孔７の周縁８へ係合するマット係止突起１３とを備えている。プレート１１において、カーペット係止突起とマット係止突起１３とは前後方向に離間している。
【００１４】
プレート１１は樹脂で左右幅よりも前後に長く形成されている。また、カーペット係止突起１２は、間隙１４をおいて対向する２つの半割円筒状の可撓部１５と、可撓部１５の下端部からの膨径状に突出した係止部１６とからなり、これら１５，１６は樹脂でプレート１１と一体形成されている。そして、間隙１４を狭めるように２つの半割円筒状の可撓部１５を撓ませて、係止部１６をカーペット２の係止孔３に挿入し、該撓みが戻ると、係止部１６が係止孔３の周縁４に係止するようになっている。
【００１５】
係止突起１３は、プレート１１の上面から垂直に突設された円筒部３６と、この円筒部３６の上端面に載せられるゴム製又はエラストマー製の弾性Ｏリング３７と、弾性Ｏリング３７を押し付けて膨径させる押付部材３８とからなる。円筒部３６は樹脂でプレート１１と一体形成されている。押し付け部材３８は樹脂でプレート１１とは別体に形成されている。プレート１１の下面には、次に述べる係止用フランジ爪４１が入り込む該係止用フランジ爪４１と同形状の凹所４２が形成されている。押付部材３８は、円筒部３６に挿入された軸部３９と、軸部３９の上端に形成された押付用フランジ部４０と、軸部３９の下端に形成された係止用フランジ爪４１とからなる。なお、３９の途中、３９と４０との境、又は、２９と４１との境で分割形成し、軸部３９を円筒部３６に挿入した後に、分割形成したものどうしを接合するようにしてもよい。
【００１６】
係止用フランジ爪４１がプレート１１の下面の凹所４２に入り込んだときには、押付用フランジ部４０は弾性Ｏリング３７を押し付けない状態となる。また、押付用フランジ部４０で弾性Ｏリング３７を押し付けて膨径させながら、押付用フランジ部４０を所定角度水平回転させて、係止用フランジ爪４１を凹所４２から離脱させてプレート１１の下面の円筒孔周縁に係止させたときには、弾性Ｏリング３７は膨径した状態を維持する。
【００１７】
図３（ａ）に示すように、上記のとおり弾性Ｏリング３７を押し付けて膨径が維持された状態のときは、膨径した弾性Ｏリング３７がフロアマット６の係止孔７の周縁８へ係合しやすいため、マット係止突起１３は相対的にフロアマット６の係止孔７が抜けにくい状態である。一方、図３（ｂ）に示すように、弾性Ｏリング３７を押し付けない状態のときは、縮径した弾性Ｏリング３７がフロアマット６の係止孔７の周縁８へ係合しにくいため、マット係止突起１３は相対的にフロアマット６の係止孔７が抜けやすい状態である。実施例は、この両状態に変化させられる。
【００１８】
なお、本発明は前記実施例に限定されるものではなく、発明の趣旨から逸脱しない範囲で適宜変更して具体化することもできる。
【符号の説明】
【００１９】
６    フロアマット
７    係止孔
８    周縁
９    補強部材
１１    プレート
１２    カーペット係止突起
１３    マット係止突起
３６    円筒部
３７    弾性Ｏリング
３８    押付部材
３９    軸部
４０    押付用フランジ部
４１    係止用フランジ爪
４２    凹所
【図１】
2011105146.tif 000003
【図２】
2011105146.tif 000004
【図３】
2011105146.tif 000005